(57)【要約】【課題】温室建物の巻上式天窓の天窓フィルム、巻上パイプの浮き上がりを確実に防止できる巻上式天窓構造を提供すること。【解決手段】温室建物１の巻上式天窓構造では、屋根面フィルム２３に形成した天窓開口部２４には、当該屋根面フィルム２３から屋内側に一段下がった位置に、天窓フィルム２５、巻上パイプ２６が配置される。風が、天窓フィルムの下側に吹き込み、天窓フィルムの両端が風で捲り上がることがない。フィルム煽り防止枠３０が、屋根面フィルム２３とほぼ同一面にある天窓上枠２８、天窓下枠２９から屋外側に嵩上げした位置において、これらの枠に連結されている。フィルム煽り防止枠３０と下側の天窓フィルム２５、巻上パイプ２６との間に必要な隙間が確保される。樹脂製の線材などを弛みのある状態で架け渡す必要がないので、台風時等における天窓等の損傷を防止できる。【選択図】図４
2018174876.tif 000002
【特許請求の範囲】
【請求項１】
温室建物の屋根面に沿って桁行方向に延びる天窓上枠と、
前記天窓上枠よりも屋根面流れ方向の下側の位置において、前記屋根面に沿って前記桁行方向に延びる天窓下枠と、
前記屋根面において、前記天窓上枠と前記天窓下枠との間に開口している天窓開口部と、
前記屋根面を覆う屋根面フィルムよりも屋内側に後退した位置において前記天窓開口部を封鎖している天窓フィルムと、
前記天窓フィルムを下端縁から巻き上げ可能な状態で当該下端縁に取り付けられ、前記屋根面よりも屋内側に後退した位置において前記桁行方向に水平に延びる巻上パイプと、
前記天窓上枠と前記天窓下枠との間に屋外側から架け渡され、前記天窓上枠および前記天窓下枠のそれぞれに対して嵩上げした状態で連結した複数本のフィルム煽り防止枠と、
を有している温室建物の巻上式天窓構造。
【請求項２】
請求項１において、
前記屋根面の前記桁行方向に所定のピッチで配列され、前記屋根面に沿って前記屋根面流れ方向に延びる屋根面構成用の複数本の第１部材と、
前記屋根面流れ方向に所定のピッチで配列され、前記屋根面に沿って前記第１部材の屋外側あるいは屋内側を前記桁行方向に延びる屋根面構成用の複数本の第２部材と、
前記第１部材に対して屋外側から架け渡され、前記屋根面流れ方向に所定のピッチで配置され、前記屋根面に沿って前記桁行方向に延びる複数本のフィルム止め枠と、
を有しており、
前記フィルム止め枠のそれぞれには、その長さ方向に延びる屋外側に開口するフィルム止め溝が形成されており、
前記屋根面フィルムは、前記フィルム止め枠を屋外側から覆う状態に張られ、前記フィルム止め溝に差し込み固定されており、
隣接配置されている２本の前記フィルム止め枠の一方が前記天窓上枠、他方が前記天窓下枠であり、
前記天窓フィルムの上縁部分は、前記天窓上枠の前記フィルム止め溝に差し込み固定されており、
前記巻上パイプは、前記天窓上枠および前記天窓下枠の間における屋内側に位置する前記第１部材の間に前記屋根面流れ方向に転動可能に架け渡されている
温室建物の巻上式天窓構造。
【請求項３】
請求項２において、
前記天窓開口部は、温室建物の両側の妻側壁面の近傍位置まで延びる広幅の開口部であり、
前記屋根面フィルムには、棟側屋根面フィルムおよび軒側屋根面フィルムが含まれており、
前記棟側屋根面フィルムは、前記屋根面の棟に沿って配置されている前記フィルム止め枠から前記天窓上枠までの間を覆っており、
前記軒側屋根面フィルムは、前記天窓下枠から前記屋根面の軒先までの間を覆っており、
前記棟側屋根面フィルムの下縁側の部分は、前記天窓上枠を超えて前記天窓開口部内まで延びて、前記天窓フィルムとなっており、
前記軒側屋根面フィルムの上縁部分は、前記天窓下枠を超えて前記天窓開口部内まで延びて、前記天窓フィルムの下側に配置されており、
前記温室建物の両側の前記妻側壁面に張った妻側壁面フィルムの上縁部分のそれぞれと、前記棟側屋根面フィルムと前記天窓フィルムの間のフィルム部分と、前記軒側屋根面フィルムの上縁部分とによって、前記屋根面フィルムと、それよりも後退した位置に配置した前記天窓フィルムとの間の隙間が封鎖されている温室建物の巻上式天窓構造。
【請求項４】
請求項３において、
一方の前記妻側壁面フィルムの上縁部分の屋内側に、前記巻上パイプを回転するための巻上装置が配置されている温室建物の巻上式天窓構造。
【請求項５】
請求項３または４において、
前記フィルム煽り防止枠を、前記フィルム止め枠である前記天窓上枠および前記天窓下枠のそれぞれに対して嵩上げした状態で連結している嵩上げ式連結部は、
前記フィルム煽り防止枠および前記フィルム止め枠の交差部分を、嵩上げ方向に、所定の隙間を形成可能な状態で連結する連結具と、
前記連結具を取り付けた前記交差部分に形成される前記隙間に差し込み固定されるクサビ具と、
を備えている温室建物の巻上式天窓構造。
【請求項６】
請求項４において、
前記第１部材は引張状態で張ったワイヤーであり、
前記ワイヤーに前記フィルム止め枠を連結するワイヤー側連結部は、
前記フィルム止め枠における前記ワイヤーとの交差部分を、所定の間隔を形成可能な状態で連結する連結具と、
前記連結具を取り付けた前記交差部分に形成される前記隙間に差し込み固定されるクサビ具と、
を備えており、
前記クサビ具は、所定長さのワイヤー押圧面を備えており、
前記ワイヤー押圧面には、所定深さのワイヤー通し溝が形成されており、
前記ワイヤー通し溝は、前記クサビ具の差し込み方向に延びる溝である
温室建物の巻上式天窓構造。
【請求項７】
請求項３において、
前記第１部材および前記第２部材は、管材、鉄骨、または、引張状態で張ったワイヤーである温室建物の巻上式天窓構造。
【請求項８】
左右方向に所定の間隔で設置面に立てた妻側支柱、当該妻側支柱の上端部を繋ぐ垂木材、および、前記妻側支柱に水平に架け渡した妻側横架材によって構成される前後の妻側壁面枠組と、
前後方向に所定の間隔で前記設置面に立てた平側支柱、および、当該平側支柱の上端部の間に水平に架け渡した平側横架材によって構成される左右の平側壁面枠組と、
左右の前記平側壁面枠組の間において、前記前後方向に所定の間隔で前記設置面に立てた中央支柱、および、当該中央支柱の上端部に水平に架け渡した棟材によって構成される中央枠組と、
前後の前記妻側壁面枠組の上端部の間に、前記左右方向に所定の間隔で、緊張状態に張り渡した屋根面前後方向ワイヤー、および、左右の前記平側壁面枠組の上端部の間に、前記前後方向に所定の間隔で、前記棟材を経由させて緊張状態に張り渡した屋根面左右方向ワイヤーによって構成される屋根面と、
前後の前記妻側壁面枠組の前記上端部の間に、左右方向に所定の間隔で、緊張状態に張り渡した天井面前後方向ワイヤー、および、左右の前記平側壁面枠組の前記上端部の間に、前記前後方向に所定の間隔で、緊張状態に張り渡した天井面左右方向ワイヤーによって構成される天井面と、
前後の前記妻側壁面枠組の前記上端部と前記設置面との間に、前記左右方向に所定の間隔で、緊張状態に張り渡した妻側アンカー用ワイヤーと、
左右の前記平側壁面枠組の前記上端部と前記設置面との間に、前記前後方向に所定の間隔で、緊張状態に架け渡した平側アンカー用ワイヤーと、
前記屋根面を覆う透光性の屋根面フィルムと、
前記妻側壁面枠組の外側面を覆う透光性の妻側壁面フィルムと、
前記平側壁面枠組の外側面を覆う透光性の平側壁面フィルムと、
前記屋根面に設けた請求項４、５または６に記載の巻上式天窓構造と
を有している引張構造の温室建物。
【発明の詳細な説明】
【技術分野】
【０００１】
本発明は、野菜、果物その他の植物の栽培、生育等のための温室建物に関し、特に、換気等のために屋根面に設けられる巻上式天窓の構造に関する。
【背景技術】
【０００２】
温室建物では、鉄骨、パイプなどの構造材によって構成される屋根面および壁面に、透光性の樹脂製のフィルムあるいはシート（本明細書においては、これらを纏めて「フィルム」と呼ぶ。）を張り付けて、採光を確保している。本願出願人は特許文献１において、引張ワイヤーを構造材として用いて屋根面および壁面を構成し、高い採光性を確保できる温室建物を提案している。
【０００３】
これらの温室建物においては、換気、通風などを確保するために、屋根面に巻上式天窓が取り付けられる。巻上式天窓は、屋根面に開けた天窓開口を封鎖する天窓フィルムを、その下端縁部分に取り付けた巻上パイプで巻き上げて天窓開口を開けるように構成されている。巻上パイプの回転駆動は、モータを用いる場合、手動操作による場合がある。天窓フィルムは、天窓開口の周囲の屋根面フィルム上に重なる状態に配置される。巻上パイプも天窓開口の両側の屋根面フィルムの上を転動して、天窓フィルムの巻取り・巻き出し動作を行う。巻上式天窓は、例えば、特許文献２に記載されている。
【０００４】
巻上式天窓を備えた温室建物においては、台風等の強風時に、天窓フィルムおよび巻上パイプが煽られて破損するおそれがある。また、煽られた巻上パイプ等によって屋根面フィルムに破れなどの損傷が発生するおそれがある。このような弊害を回避するために、天窓フィルムの上側に、天窓の上縁部分および下縁部分の間に、マイカ線などの樹脂製の線材を、煽り防止のために架け渡している。特許文献２、３には、煽り防止用の線材が配置されている巻上式天窓が記載されている。
【先行技術文献】
【特許文献】
【０００５】
【特許文献１】国際公開第２０１７／０３０３８９号
【特許文献２】特開２００３−１０２２８９号公報
【特許文献３】特開２００９−１４２１９７号公報
【発明の概要】
【発明が解決しようとする課題】
【０００６】
従来の巻上式天窓の煽り防止の構造では、巻上パイプが移動するための隙間を確保するために、樹脂製の線材を天窓の上縁と下縁との間に弛みのある状態で架け渡してある。このため、強風によって天窓フィルムおよび巻上パイプが煽られて繰り返し浮き上がることを確実に防止できない。また、屋根面フィルムと天窓フィルムの隙間に風が吹き込むと、天窓フィルムおよび巻上パイプは簡単に浮き上がってしまう。この結果、煽り防止用の線材に、巻上パイプが繰り返し当たり、線材が切れやすいという問題がある。線材が切れると、天窓フィルムおよび巻上パイプが風により、大きく浮き上がり、これらの破損、周囲の屋根面フィルムなどに損傷が発生するおそれがある。
【０００７】
本発明の目的は、温室建物の巻上式天窓の天窓フィルムおよび巻上パイプの浮き上がりを確実に防止できる巻上式天窓構造、および、当該巻上式天窓構造を備えた引張構造の温室建物を提供することにある。
【課題を解決するための手段】
【０００８】
上記の課題を解決するために、本発明の温室建物の巻上式天窓構造は、
温室建物の屋根面に沿って桁行方向に延びる天窓上枠と、
前記天窓上枠よりも屋根面流れ方向の下側の位置において、前記屋根面に沿って桁行方向に延びる天窓下枠と、
前記屋根面において、前記天窓上枠と前記天窓下枠との間に開口している天窓開口部と、
前記屋根面を覆う屋根面フィルムよりも屋内側に後退した位置において前記天窓開口を封鎖している天窓フィルムと、
前記天窓フィルムを下端縁から巻き上げ可能な状態で当該下端縁に取り付けられ、前記屋根面よりも屋内側に後退した位置において桁行方向に水平に延びる巻上パイプと、
前記天窓上枠と前記天窓下枠との間に屋外側から架け渡され、前記天窓上枠および前記天窓下枠のそれぞれに対して、嵩上げした状態で連結した複数本のフィルム煽り防止枠と
を有している。
【０００９】
屋根面フィルムに形成した天窓開口部には、当該屋根面フィルムから屋内側に一段下がった位置に、天窓フィルムおよび巻上パイプが配置される。風が、天窓フィルムの下側に吹き込み、天窓フィルムの両端が風で捲り上がることがない。また、天窓フィルムおよび巻上パイプが強風に煽られて、繰り返し、浮き上がることもない。
【００１０】
フィルム煽り防止枠は、屋根面フィルムとほぼ同一面にある天窓上枠および天窓下枠から屋外側に嵩上げした位置において、これらの枠に連結されている。フィルム煽り防止枠と下側の天窓フィルム、巻上パイプとの間に、必要とされる隙間を確保できる。樹脂製の線材などを弛みのある状態で架け渡す必要がなく、剛体のフィルム煽り防止枠を上下の枠に取り付けることができる。台風時等において線材が破断して天窓等に損傷が発生するという従来の弊害が解消される。
【００１１】
温室建物における屋根面フィルムで覆われた屋根面は、例えば、
前記屋根面の桁行方向に所定のピッチで配列され、前記屋根面に沿って前記屋根面流れ方向に延びる屋根面構成用の複数本の第１部材と、
前記屋根面流れ方向に所定のピッチで配列され、前記屋根面に沿って前記第１部材の屋外側あるいは屋内側を前記桁行方向に延びる屋根面構成用の複数本の第２部材と、
前記第１部材に対して屋外側から架け渡され、前記屋根面流れ方向に所定のピッチで配置され、前記屋根面に沿って前記桁行方向に延びる複数本のフィルム止め枠と、
から構成できる。
【００１２】
この場合には、前記フィルム止め枠のそれぞれには、その長さ方向に延びる屋外側に開口するフィルム止め溝が形成され、前記屋根面フィルムは、前記フィルム止め枠を屋外側から覆う状態に張られ、前記フィルム止め溝に差し込み固定される。隣接配置されている２本の前記フィルム止め枠の一方が前記天窓上枠、他方が前記天窓下枠として用いられる。前記天窓フィルムの上縁部分は、前記天窓上枠の前記フィルム止め溝に差し込み固定される。また、前記巻上パイプは、前記天窓上枠および前記天窓下枠の間における屋内側に位置する前記第１部材の間に屋根面流れ方向に転動可能に架け渡される。
【００１３】
ここで、前記天窓開口部は、温室建物の両側の妻側壁面の近傍位置まで延びる広幅の開口部とされる。前記屋根面フィルムには、棟側屋根面フィルムおよび軒側屋根面フィルムが含まれ、前記棟側屋根面フィルムは、前記屋根面の棟に沿って配置されている前記フィルム止め枠から前記天窓上枠までの間を覆っており、前記軒側屋根面フィルムは、前記天窓下枠から前記屋根面の軒先までの間を覆っている。
【００１４】
この場合には、例えば、前記棟側屋根面フィルムの下縁側の部分を、天窓上枠を超えて天窓開口部内に延ばして、天窓フィルムとして用いる。また、軒側屋根面フィルムの上縁部分を、天窓下枠から前記天窓開口部内にまで延ばして、天窓フィルムの下側に配置する。これにより、前記温室建物の両側の妻側壁面に張った妻側壁面フィルムの上縁部分のそれぞれと、棟側屋根面フィルムと天窓フィルムの間のフィルム部分と、前記軒側屋根面フィルムの上縁部分とによって、屋根面フィルムと、それよりも後退した位置に配置した天窓フィルムとの間の隙間が封鎖される。
【００１５】
また、一方の前記妻側壁面フィルムの上縁部分の屋内側に、前記巻上パイプを回転するための巻上装置を配置できる。
【００１６】
本発明において、前記フィルム煽り防止枠を、前記フィルム止め枠である前記天窓上枠および前記天窓下枠のそれぞれに対して嵩上げした状態で連結している嵩上げ式連結部は、例えば、前記フィルム煽り防止枠および前記フィルム止め枠の交差部分を、嵩上げ方向に、所定の隙間を形成な状態で連結する第１連結具と、前記隙間に差し込み固定される第１クサビ具とから構成できる。
【００１７】
また、引張状態に張ったワイヤーから構成した引張構造の屋根の場合にも、前記ワイヤーに前記フィルム止め枠を連結するワイヤー側連結部として、嵩上げ式連結部を用いることができる。この場合、連結具は、前記フィルム止め枠における前記ワイヤーとの交差部に着脱可能に取り付けられる。クサビ具は、連結具が取り付けられた交差部においてワイヤーとフィルム止め枠との間の隙間に、差し込み固定される。この場合には、クサビ具は、所定長さのワイヤー押圧面を備え、前記ワイヤー押圧面には、所定深さのワイヤー通し溝が形成され、前記ワイヤー通し溝は、第２クサビ具の差し込み方向に延びる溝であることが望ましい。
【００１８】
なお、屋根面を構成する前記第１部材および前記第２部材として、引張状態に張ったワイヤーの代わりに、一般的な温室建物に用いられるアルミニウムパイプ等の管材、または、鉄骨を用いることができる。
【００１９】
一方、本発明の引張構造の温室建物は、例えば、
左右方向に所定の間隔で設置面に立てた妻側支柱、当該妻側支柱の上端部を繋ぐ垂木材、および、前記妻側支柱に水平に架け渡した妻側横架材によって構成される前後の妻側壁面枠組と、
前後方向に所定の間隔で前記設置面に立てた平側支柱、および、当該平側支柱の上端部の間に水平に架け渡した平側横架材によって構成される左右の平側壁面枠組と、
左右の前記平側壁面枠組の間において、前記前後方向に所定の間隔で前記設置面に立てた中央支柱、および、当該中央支柱の上端部に水平に架け渡した棟材によって構成される中央枠組と、
前後の前記妻側壁面枠組の上端部の間に、前記左右方向に所定の間隔で、緊張状態に張り渡した屋根面前後方向ワイヤー、および、左右の前記平側壁面枠組の上端部の間に、前記前後方向に所定の間隔で、前記棟材を経由させて緊張状態に張り渡した屋根面左右方向ワイヤーによって構成される屋根面と、
前後の前記妻側壁面枠組の前記上端部の間に、左右方向に所定の間隔で、緊張状態に張り渡した天井面前後方向ワイヤー、および、左右の前記平側壁面枠組の前記上端部の間に、前記前後方向に所定の間隔で、緊張状態に張り渡した天井面左右方向ワイヤーによって構成される天井面と、
前後の前記妻側壁面枠組の前記上端部と前記設置面との間に、前記左右方向に所定の間隔で、緊張状態に張り渡した妻側アンカー用ワイヤーと、
左右の前記平側壁面枠組の前記上端部と前記設置面との間に、前記前後方向に所定の間隔で、緊張状態に架け渡した平側アンカー用ワイヤーと、
前記屋根面を覆う透光性の屋根面フィルムと、
前記妻側壁面枠組の外側面を覆う透光性の妻側壁面フィルムと、
前記平側壁面枠組の外側面を覆う透光性の平側壁面フィルムと、
前記屋根面に設けた巻上式天窓構造と
を有しており、巻上式天窓構造として、先に述べた巻上式天窓構造が採用されている。
【図面の簡単な説明】
【００２０】
【図１】本発明を適用した温室建物の外観図である。
【図２】温室建物の構造体を示す説明図である。
【図３】温室建物の屋根面を示す説明図である。
【図４】（ａ）は温室建物の巻上式天窓構造の断面を示す説明図であり、（ｂ）はその平面を示す説明図である。
【図５】（ａ）は嵩上げ式連結部およびワイヤー連結部を示す説明図、（ｂ）はその連結具とクサビ具を示す説明図、（ｃ）はクサビ具の側面図である。
【図６】（ａ）は妻側壁面枠組の説明図、（ｂ）は前側の妻側アンカー用ワイヤーの説明図である。
【図７】（ａ）は左側の平側壁面枠組の説明図、（ｂ）は中央仕切り枠組の説明図、（ｃ）はこれらの位置を示す説明図である。
【図８】（ａ）は屋根面を規定しているワイヤーの配列状態の説明図、（ｂ）は天井面を規定しているワイヤーの配列状態の説明図である。
【発明を実施するための形態】
【００２１】
以下に、図面を参照して、本発明を適用した引張構造の温室建物の実施の形態を説明する。
【００２２】
［全体構成］
図１は本実施の形態に係るイチゴ栽培用の温室建物を示す概略外観図であり、図２はその構造体を示す説明図である。温室建物１は、例えば妻側の左右方向の長さが１２ｍ、平側の前後方向の長さが５８ｍの長方形の切妻屋根を備え、棟の高さが４．５ｍである。
【００２３】
温室建物１の構造体は、基本的に、金属製の単管および高張力・高強度のワイヤーを用いて構成されている。具体的には、図２に示すように、同一径の単管を支柱、横架材等として用いて各種形態の単管ジョイントによって連結して構成される前後の妻側壁面枠組３Ｆ、３Ｂ（図６参照）、左右の平側壁面枠組４Ｌ、４Ｒ（図７（ａ）参照）、および、左右方向の中央位置において前後方向に延びる中央枠組５（図７（ｂ）参照）を備えている。また、温室建物１の屋根面６（図８（ａ）参照）は、所定の緊張状態で前後方向（桁行方向）に張り渡した複数本のワイヤー１１（第１部材）と、所定の緊張状態で左右方向（屋根面流れ方向）に張り渡した複数本のワイヤー１２（第２部材）とによって構成されている。同様に、その下側の水平な天井面７（図８（ｂ）参照）は、所定の緊張状態で左右方向（梁間方向）に張り渡した複数本のワイヤー１３と、所定の緊張状態で前後方向に張り渡した複数本のワイヤー１４とによって構成されている。
【００２４】
ワイヤーとして、例えば、ステンレススチール製のワイヤー、ポリエステル樹脂などからなるプラスチックワイヤーが用いられる。ワイヤーとして、ロープ、ケーブルと呼ばれる各種の線材を用いることができる。ワイヤーの代わりに、例えば、鉄筋コンクリート造の建物に用いられる引張鉄筋などの鋼製の引張材、その他の金属製の長尺状の引張材を用いることもできる。
【００２５】
ワイヤー１１〜１４が張り渡されている前後の妻側壁面枠組３Ｆ、３Ｂ、左右の平側壁面枠組４Ｌ、４Ｒは、前後の妻側アンカー用ワイヤー１５（図においては前側の妻側アンカー用ワイヤー１５のみを示す。）、および両側の平側アンカー用ワイヤー１７、１８によって、それぞれ前後方向の外側および左右方向の外側に引張られている。平側アンカー用ワイヤー１７は、温室建物１の左右の外側に、斜めに張り出されている。これらのワイヤー１５、１７は、設置面である地面Ｇに埋設したアンカー用鋼材８１に掛止されている。
【００２６】
妻側壁面枠組３Ｆ、３Ｂの外側面には、それぞれ、複数枚の透光性の妻側壁面フィルム２１が張り付けられている、同様に、平側壁面枠組４Ｌ、４Ｒの外側面には、それぞれ、複数枚の透光性の平側壁面フィルム２２が張り付けられている。屋根面６には、複数枚の透光性の屋根面フィルム２３が張り付けられている。これらのフィルム２１、２２、２３は、例えば、ポリオレフィン樹脂などからなる透光性フィルムである。
【００２７】
屋根面６には、換気、通風用の巻上式天窓構造が組み付けられている。すなわち、屋根面６の棟の両側部分には、それぞれ、天窓開口部２４が形成されている。天窓開口部２４は、一定幅で、前後の妻側壁面枠組３Ｆ、３Ｂの近傍位置まで延びる細長い開口部である。天窓開口部２４には、屋根面フィルム２３から屋内側に後退した位置において、屋根面流れ方向に張られた天窓フィルム２５が配置されている。
【００２８】
天窓フィルム２５の下縁部分には、前後方向に水平に延びる巻上パイプ２６が取り付けられている。巻上パイプ２６の端は、モータ駆動式の巻上装置２７の出力軸（図示せず）に連結されている。巻上装置２７は、後ろ側の妻側壁面枠組３Ｂの屋内側に配置されている。巻上装置２７によって巻上パイプ２６を回転させると、巻上パイプ２６は、天窓フィルム２５を下縁側から巻き取りながら上昇し、天窓開口部２４が開く。巻上パイプ２６を逆回転させて降下させると、天窓フィルム２５が巻き出されて、天窓開口部２４が封鎖される。天窓フィルム２５はポリオレフィン樹脂等からなる透光性フィルムである。なお、天窓フィルム２５の下側には、天窓開口部２４を覆う状態に防虫ネット（図示せず）が張られている。
【００２９】
天窓開口部２４の上縁には、屋根面に沿って前後方向（桁行方向）に延びるフィルム止め枠である天窓上枠２８が配置されている。天窓開口部２４の下縁にも、天窓上枠２８と平行に延びるフィルム止め枠である天窓下枠２９が配置されている。天窓上枠２８と天窓下枠２９との間には、屋外側から、複数本のフィルム煽り防止枠３０が架け渡されている。各フィルム煽り防止枠３０の上下の端部は、天窓上枠２８および天窓下枠２９のそれぞれに対して、一定量だけ嵩上げした状態で、連結固定されている。フィルム煽り防止枠３０と、下側の天窓フィルム２５および巻上パイプ２６との間には、天窓フィルム２５の巻上・巻き出し動作に必要な隙間が確保されている。なお、天窓開口部２４の内周縁に沿って形成される屋根面フィルム２３と天窓フィルム２５との間の段差部分の隙間は、後述のように、フィルムによって封鎖されている。
【００３０】
このように、屋根面フィルム２３に形成した天窓開口部２４には、当該屋根面フィルム２３から屋内側に一段下がった位置に、天窓フィルム２５および巻上パイプ２６が配置される。風が、天窓フィルム２５の下側に吹き込み、天窓フィルム２５の両端が風で捲り上がることがない。フィルム煽り防止枠３０は、屋根面フィルム２３とほぼ同一面にある天窓上枠２８および天窓下枠２９から屋外側に嵩上げした位置にある。フィルム煽り防止枠３０と、下側の天窓フィルム２５および巻上パイプ２６との間には、必要とされる隙間が確保される。樹脂製の線材などを弛みのある状態で架け渡す必要がなく、剛体、例えば金属製のフィルム煽り防止枠３０を配置できる。台風時等においても、線材を用いる場合とは異なり、確実に、天窓フィルム２５、巻上パイプ２６の浮き上がり、破損などを防止できる。
【００３１】
図３は屋根面６を示す平面図である。図４（ａ）はその巻上式天窓構造の断面を示す説明図であり、図４（ｂ）はその平面を示す説明図である。これらの図を主に参照して説明すると、屋根面フィルム２３で覆われた屋根面６は、基本的に、屋根面構成用の複数本のワイヤー１１（第１部材）と、屋根面構成用の複数本のワイヤー１２（第２部材）と、複数本のフィルム止め枠３１とから構成されている。ワイヤー１１は、前後方向（桁行方向）に一定のピッチで配列され、屋根面６に沿って屋根面流れ方向（左右方向）に張り渡されている。ワイヤー１２は、屋根面流れ方向に所定のピッチで配列され、屋根面６に沿ってワイヤー１１の屋内側を、前後方向（桁行方向）に延びている。フィルム止め枠３１は、ワイヤー１１に対して、屋外側から架け渡されており、左右方向（屋根面流れ方向）に所定のピッチで配置され、屋根面６に沿って前後方向（桁行方向）に延びている。
【００３２】
フィルム止め枠３１のそれぞれには、その長さ方向に延びる屋外側に開口するフィルム止め溝３１ａが形成されている。屋根面フィルム２３は、フィルム止め枠３１を屋外側から覆う状態に張られ、フィルム止め溝３１ａに対峙するフィルム部分が、当該フィルム止め溝３１ａに差し込まれる。差し込まれたフィルム部分は、その上からフィルム止め溝３１ａに装着した波形に折り曲げられているバネ材によって、フィルム止め溝３１ａに固定される。このようなフィルム止め機構は公知であるので詳細な説明は省略する。
【００３３】
フィルム止め枠３１として、屋根面６の棟に通っている棟材７２に沿って延びている棟上フィルム止め枠３２、天窓上枠２８、天窓下枠２９、２本の軒側フィルム止め枠３３などが配列されている。また、屋根面フィルム２３として、天窓フィルム２５の上縁側のフィルム部分によって形成される棟側屋根面フィルム部分２５ａ、軒側屋根面フィルム３５などが配置されている。
【００３４】
天窓フィルム２５の上縁側の棟側屋根面フィルム部分２５ａは、棟上フィルム止め枠３２から天窓上枠２８までの間を覆っている。棟側屋根面フィルム部分２５ａに連続する天窓フィルム２５の部分は、天窓上枠２８から屋内側に一段後退した位置に配置されているワイヤー１１の上側に沿って天窓下枠２９の近傍位置まで延びている。天窓フィルム２５の下縁部分には、先に述べたように、巻上パイプ２６が取り付けられている。巻上パイプ２６は、ワイヤー１１の上側に沿って屋根面流れ方向に転動可能である。
【００３５】
天窓開口部２４内に位置するワイヤー１１の部分には、フィルム止め材３６が前後方向（桁行方向）に延びる状態に取り付けられている。軒側屋根面フィルム３５の上縁側部分３５ａは、天窓下枠２９からフィルム止め材３６まで延びている。この上縁側部分３５ａの上に、天窓フィルム２５の下端縁側の部分および巻上パイプ２６が乗っている。軒側屋根面フィルム３５は、天窓下枠２９から軒側フィルム止め枠３３を超えて、軒先まで延びている。
【００３６】
屋根面６において、天窓開口部２４の前後の端と、前後の妻側壁面との間には、棟上フィルム止め枠３２から天窓下枠２９までの間を覆う状態に屋根面フィルム３７が固定張りされている。また、屋根面フィルム３７と同一位置において、天窓フィルム２５および巻上パイプ２６の下側を通る状態に、側方窓枠用フィルム３８が固定張りされている。後側の妻側壁面の側において、固定張りされた屋根面フィルム３７と側方窓枠用フィルム３８との間の隙間に、巻上装置２７が配置されている。なお、巻上装置２７を、従来における場合と同様に、妻側壁面の外側に配置し、妻側壁面フィルム２１を貫通する状態に配置した回転伝達部材を介して、巻上装置２７と巻上パイプ２６との間を連結することもできる。
【００３７】
本例では、温室建物１の両側の妻側壁面に張った妻側壁面フィルム２１の上縁部分のそれぞれと、天窓フィルム２５における棟側屋根面フィルム部分２５ａに繋がっているフィルム部分と、軒側屋根面フィルム３５の上縁側部分３５ａとによって、天窓開口部２４の内周縁に沿って形成されている屋根面フィルム２３と天窓フィルム２５との間の隙間が封鎖されている。
【００３８】
（嵩上げ式連結部の構成）
図５（ａ）は巻上式天窓構造を構成する各部材の連結部を示す説明図である。図５（ｂ）および図５（ｃ）は、連結部を構成する連結具およびクサビ具を示す説明図である。図４および図５を参照して、フィルム煽り防止枠３０を、フィルム止め枠である天窓上枠２８および天窓下枠２９のそれぞれに対して嵩上げした状態で連結している嵩上げ式連結部４０を説明する。他方のフィルム煽り防止枠３０を天窓下枠２９に連結する嵩上げ式連結部も同一構成であるので、説明を省略する。
【００３９】
嵩上げ式連結部４０は、フィルム煽り防止枠３０と天窓上枠２８の交差部分を、嵩上げ方向（屋根面６に直交する屋外方向）に、所定の隙間を形成な状態で連結する連結具４１とクサビ具４２とを備えている。本例では、フィルム煽り防止枠３０と天窓上枠２８として共通部品のフィルム止め材を用いている。
【００４０】
連結具４１は、底板部分４１ａと、その両側に形成した側板部分４１ｂとを備えたＵ状断面の金具である。側板部分４１ｂのそれぞれには、その先端側に開口する矩形開口部４１ｃが形成されている。矩形開口部４１ｃの先端側の両側の内側縁部分には、相互に接近する方向に突出した係合爪４１ｄが形成されている。
【００４１】
クサビ具４２は、長方形の底板部分４２ａと、その両側に形成した側板部分４２ｂと、底板部分４２ａの後端に形成した端板部分４２ｃとを備えたＵ状断面の金具である。左右の側板部分４２ｂはクサビ形状をしており、その高さ寸法は、端板部分４２ｃの側の後端から反対側の先端に向かって漸減している。本例では、側板部分４２ｂの上端面が先端側に向かって底側に傾斜した傾斜面となっている。
【００４２】
連結具４１において、左右の側板部分４１ｂの間に、クサビ具４２を通すことが可能である。また、側板部分４１ｂの間に、天窓上枠２８を通すことが可能である。左右の側板部分４１ｂに形成されている左右の矩形開口部４１ｃには、フィルム煽り防止枠３０を通すことが可能である。左右の係合爪４１ｄは、フィルム煽り防止枠３０の左右の側板部分３０ｂの湾曲部分に係合可能である。
【００４３】
天窓上枠２８とフィルム煽り防止枠３０の交差部分において、天窓上枠２８の下側から連結具４１を取り付ける。連結具４１の左右の側板部分４１ｂの矩形開口部４１ｃに、上側のフィルム煽り防止枠３０を通した状態にする。この状態で、クサビ具４２を、その先端側から、天窓上枠２８とフィルム煽り防止枠３０との間に差し込む。クサビ具４２の打ち込み面である端板部分４２ｃを叩いて、クサビ具４２を打ち込む。連結具４１の左右の側板部分４１ｂに形成されている前後の係合爪４１ｄが、上側のフィルム煽り防止枠３０左右の側板部分３０ｂに対して上側から押し付けられる。天窓上枠２８に、フィルム煽り防止枠３０が、嵩上げした状態で、確実に連結固定される。連結具４１の両側の係合爪４１ｄの高さ、および、打ち込むクサビ具４２の厚さを適切に設定することにより、天窓上枠２８に対して、フィルム煽り防止枠３０の嵩上げ量を適切に設定できる。
【００４４】
ここで、図５（ａ）に示すように、天窓上枠２８は、ワイヤー１１に取り付けられている。天窓上枠２８をワイヤー１１に固定するワイヤー連結部４５も、連結具４１およびクサビ具４２を備えた嵩上げ式連結部４０を用いることができる。この場合には、クサビ具４２において、その底板部分４２ａの幅方向の中央に、前後方向に直線状に延びるワイヤー通し溝４２ｄを形成しておく。ワイヤー通し溝４２ｄは、底板部分４２ａの裏面の中央部分において下方に開口するほぼ円弧状断面の溝である。嵩上げ式連結部を用いることにより、フィルム止め枠に取り付けた屋根面フィルム２３などのフィルムを、ワイヤー１１から離して配置することができる。
【００４５】
［各部の構成］
以下に、図１に示す温室建物１の各部の構成例を説明する。
【００４６】
（妻側壁面枠組）
図６（ａ）は温室建物１の前側の妻側壁面枠組３Ｆを示す説明図であり、図６（ｂ）はその部分斜視図である。図１、図６を参照して説明すると、前側の妻側壁面枠組３Ｆは、左右方向に一定の間隔、例えば、１．５ｍの間隔で一列に地面Ｇから垂直に立てた単管からなる複数本（９本）の妻側支柱５１〜５９を備えている。これらの妻側支柱５１〜５９の上端部には単管からなる左右の垂木材６０が架け渡されている、また、単管からなる３本の妻側横架材６１（１）、６１（２）、６１（３）が所定の間隔で水平に配置されている。例えば、これらの妻側横架材６１（１）〜６１（３）は、地面Ｇから、それぞれ、１．５ｍ、２．５ｍ、３．５ｍの高さ位置に配置されている。
【００４７】
下側の２本の妻側横架材６１（１）、６１（２）は、妻側支柱５１〜５９に水平に架け渡されており、上側の１本の妻側横架材６１（３）は、左右の妻側支柱５３、５７の上端の高さ位置において、妻側支柱５３〜５７の間に水平に架け渡されている。これらの単管の交差部分は、図面において矩形枠で示すように、単管用の直交ジョイント、平行ジョイント、三方向ジョイント等のジョイントによって連結されている。各妻側支柱５１〜５９は地面Ｇに埋設した所定耐力の独立基礎によって支持されている。後側の妻側壁面枠組３Ｂも同様な構成となっている。基礎は独立基礎、布基礎などの各種の構造の基礎を用いることができる。また、妻側壁面枠組３Ｆの外側面には、上下方向に所定の間隔で、水平にフィルム止め材６２が取り付けられ、これを外側から覆う状態に妻側壁面フィルム２１が張り付けられる。
【００４８】
（平側壁面枠組）
図７（ａ）は左側の平側壁面枠組４Ｌを示す説明図であり、図７（ｂ）は中央枠組５を示す説明図である。図７（ｃ）はこれらの位置を示す説明図である。
【００４９】
図１および図７（ａ）に示すように、左側の平側壁面枠組４Ｌは、前後方向に一定の間隔、例えば、１ｍの間隔で一列に地面Ｇから垂直に立てた単管からなる同一高さの複数本の平側支柱６３と、これらの平側支柱６３の上端部の間に水平に架け渡した単管からなる平側横架材６４とによって構成されている。右側の平側壁面枠組４Ｒは平側壁面枠組４Ｌと同一構造である。
【００５０】
なお、平側壁面枠組４Ｌ、４Ｒの外側面にも、上下方向に所定の間隔で、水平にフィルム止め材６５が取り付けられ、これらを外側から覆う状態に平側壁面フィルム２２が張り付けられる。
【００５１】
（中央枠組）
左右の平側壁面枠組４Ｌ、４Ｒの中間に位置する中央枠組５は、図７（ｂ）に示すように、前後方向に２ｍの間隔で一列に地面Ｇから垂直に立てた単管からなる複数本の中央支柱７１を備えている。前後方向の両端には前後の妻側支柱５５と共に２本の単管支柱が配置される。中央支柱７１のそれぞれの上端部には、単管からなる棟材７２が水平に架け渡され、屋根面６の峰を規定している。また、棟材７２と地面Ｇとの間において、妻側横架材６１（２）と同一の高さ位置には、中央支柱７１に水平に架け渡した単管からなる中央横架材７３が配置されている。
【００５２】
（屋根面）
図８（ａ）は屋根面６を規定しているワイヤー１１、１２の配列状態を示す説明図であり、図８（ｂ）は天井面７を規定しているワイヤー１３、１４の配列状態を示す説明図である。
【００５３】
まず、図１、図８（ａ）を参照して説明すると、ワイヤー１１は屋根面左右方向引張材であり、左右の平側壁面枠組４Ｌ、４Ｒの上端部の平側横架材６４、６４の間に、前後方向に５０ｃｍの間隔で、左右方向に棟材７２を経由して緊張状態に張り渡されている。また、ワイヤー１２は屋根面前後方向引張材であり、前後の妻側壁面枠組３Ｆ、３Ｂの上端部の垂木材６０の間に、左右方向に１．５ｍの間隔で、前後方向に緊張状態で水平に張り渡されている。
【００５４】
（天井面）
図１、図８（ｂ）に示すように、天井面７を規定しているワイヤー１３は天井面左右方向引張材であり、左右の平側壁面枠組４Ｌ、４Ｒの上端部の平側横架材６４、６４の間に、前後方向に５０ｃｍの間隔で、左右方向に緊張状態で水平に張り渡されている。同じく、天井面７を規定しているワイヤー１４は天井面前後方向引張材であり、前後の妻側壁面枠組３Ｆ、３Ｂの妻側横架材６１（２）の間に、左右方向に１．５ｍの間隔で、前後方向に緊張状態で水平に張り渡されている。
【００５５】
（ワイヤーのアンカー部分）
次に、図１、図６（ｂ）から分かるように、妻側アンカー用ワイヤー１５は両側のワイヤーを除き、左右方向に１．５ｍの間隔で配置され上半部分が二股に分かれて、妻側支柱５１〜５９の上端部および妻側横架材６１（２）に連結されている。各妻側アンカー用ワイヤー１５の下端は、地中に埋設された左右方向に水平に延びる長尺状のアンカー用鋼材８１に掛止されている。妻側アンカー用ワイヤー１５における地中埋設部分は、保護用の塩化ビニール管８２によって覆い隠されている。
【００５６】
また、左側の平側アンカー用ワイヤー１７は前後方向に１ｍの間隔で配置され、図６（ａ）に示すように、左側の平側壁面枠組４Ｌの上端部の平側横架材６４に上端が連結されている。それらの下端は、地中に埋設した前後方向に延びるアンカー枠板８３に掛止されている。また、平側アンカー用ワイヤー１７も、地中埋設部分が塩化ビニール管８４によって覆い隠されている。
【００５７】
なお、温室建物は連棟式とすることができる。また、前後左右のワイヤーの配列間隔、妻側支柱および平側支柱の配列間隔、ワイヤーおよび支柱等の材質、サイズ等は、一例である。これらは、温室建物の大きさ（前後方向・左右方向の寸法、天井高さ、屋根高さ）、設置場所の環境条件等に応じて適宜設定される。
【００５８】
［その他の実施の形態］
さらに、上記の温室建物は、ワイヤーを用いた引張構造を採用している。この代わりに、一般的な単管を組み合わせて建物の壁面、屋根面を構成してフィルムを張り付けた構造の温室建物、鉄骨造の温室建物に、本発明の巻上式天窓構造を採用してもよい。
【符号の説明】
【００５９】
１      温室建物
３Ｂ、３Ｆ  妻側壁面枠組
４Ｌ、４Ｒ  平側壁面枠組
５      中央枠組
６      屋根面
７      天井面
１１、１２、１３、１４  ワイヤー
１５    妻側アンカー用ワイヤー
１７、１８  平側アンカー用ワイヤー
２１    妻側壁面フィルム
２２    平側壁面フィルム
２３    屋根面フィルム
２４    天窓開口部
２５    天窓フィルム
２５ａ  棟側屋根面フィルム部分
２６    巻上パイプ
２７    巻上装置
２８    天窓上枠
２９    天窓下枠
３０    フィルム煽り防止枠
３０ｂ  側板部分
３１    フィルム止め枠
３１ａ  フィルム止め溝
３２    棟上フィルム止め枠
３３    軒側フィルム止め枠
３５    軒側屋根面フィルム
３５ａ  上縁側部分
３６    フィルム止め材
３７    屋根面フィルム
３８    側方窓枠用フィルム
４０    嵩上げ式連結部
４１    連結具
４１ａ  底板部分
４１ｂ  側板部分
４１ｃ  矩形開口部
４１ｄ  係合爪
４２    クサビ具
４２ａ  底板部分
４２ｂ  側板部分
４２ｃ  端板部分
４２ｄ  ワイヤー通し溝
４５    ワイヤー連結部
５１〜５９  妻側支柱
６０    垂木材
６１（１）〜６１（３）  妻側横架材
６２    フィルム止め材
６３    平側支柱
６４    平側横架材
６５    フィルム止め材
７１    中央支柱
７２    棟材
７３    中央横架材
８１    アンカー用鋼材
８２    塩化ビニール管
８３    アンカー枠板
８４    塩化ビニール管
Ｇ      地面
【図１】
2018174876.tif 000003
【図２】
2018174876.tif 000004
【図３】
2018174876.tif 000005
【図４】
2018174876.tif 000006
【図５】
2018174876.tif 000007
【図６】
2018174876.tif 000008
【図７】
2018174876.tif 000009
【図８】
2018174876.tif 000010